(57)【要約】【課題】部品点数を極力少なくすること。【解決手段】固定座の軸孔を貫通する軸部を有すると共に該固定座の表面に重なるように設けられ、かつ所定位置で周方向に回転可能な可動座、可動座に嵌合すると共にロック解除時には該可動座と一緒に回転可能な摘み、ロック時この摘み及び可動座の共働回転を阻止するロック機構を備えた防犯サムターンであって、ロック機構は、可動座の貫通収納孔を介して固定座のロック孔まで延在する摘みの係止腕と、この係止腕の挿入端部に設けられた付勢体用支持体と、この支持体の頭部の背面と前記貫通収納孔の付勢体用支持面との間に弾装された付勢体とから成り、該ロック機構のロックを解く場合には、係止腕の支持体がロック孔から抜ける位置まで摘みを前記付勢体のバネ力に抗して外方向に引くこと。【選択図】図２
2009046862.tif 000002
【特許請求の範囲】
【請求項１】
固定座の軸孔を貫通する軸部を有すると共に該固定座の表面に重なるように設けられ、かつ所定位置で周方向に回転可能な可動座、可動座に嵌合すると共にロック解除時には該可動座と一緒に回転可能な摘み、ロック時この摘み及び可動座の共働回転を阻止するロック機構を備えた防犯サムターンであって、前記ロック機構は、可動座の貫通収納孔を介して固定座のロック孔まで延在する前記摘みの係止腕と、この係止腕の挿入端部に設けられた付勢体用支持体と、この支持体の頭部の背面と前記貫通収納孔の付勢体用支持面との間に弾装された前記付勢体とから成り、該ロック機構のロックを解く場合には、前記係止腕の支持体が前記ロック孔から抜ける位置まで摘みを前記付勢体のバネ力に抗して外方向に引くことを特徴とする防犯サムターン。
【請求項２】
請求項１に於いて、摘みは、摘み部分の内端面から突出し、かつ可動座の軸部を跨ぐように可動座の表面から固定座のロック孔まで延在する複数本の係止腕を有することを特徴とする防犯サムターン。
【請求項３】
請求項１に於いて、固定座の裏面側には、外端部が付勢体用支持体の頭部の表面と当接する摘み用押出し部材が配設され、該押出し部材の動力変換用内端部は、可動座と共に回転するサムターン軸側の動力変換用摩擦係合部と係脱することを特徴とする防犯サムターン。
【発明の詳細な説明】
【技術分野】
【０００１】
本発明は、摘み部材回転規制用のロック機構を備えた防犯サムターンに関する。
【背景技術】
【０００２】
特許文献１には、「固定筒内に回転可能に内装され摘み部材並びにサムーン軸と共に回転可能なローター、ローターと交差するように固定筒内に配設され、かつ固定筒の係合溝と係脱する可動障害子、可動障害子に内端部側の脚部が係合し、先端部側のボタン状入力部が摘み部材の表面から突出するように摘み部材側の支軸を介して軸支された揺動レバー、揺動レバーを摘み部材がロック状態となるように可動障害子を係合方向に常時付勢する付勢手段を備えた防犯サムターン」が開示されている。
【０００３】
上記構成に於いて、摘み部材の規制（ロック）を解く場合には、ボタン状入力部を押圧すると、揺動レバーが支軸を支点に解消することから、可動障害子が固定筒の係合溝からは離れる。したがって、揺動レバーのボタン状入力部を押しながら摘み部材を回転することができので、防犯サムターンとしての機能を発揮する。
しかしながら、特許文献１は、摘み側の入力部材及び作動障害子の部品点数が多くなる、入出力軸（ダルマ側）からサムターン軸を介して動かされる部材の数が多く成るといったような問題点があった。そこで、現在、部品点数を極極少なくするという観点から、また、揺動レバー方式以外の視点から、新規な方式の防犯サムターンの出現が要望されている。
【特許文献１】特開２００５−４２４９８号公報
【発明の開示】
【発明が解決しようとする課題】
【０００４】
本発明の所期の目的は、摘み側の入力部材、作動障害子等の部品点数を少なくすることである。第２の目的は、組み合わせが容易であることである。
【課題を解決するための手段】
【０００５】
本発明の防犯サムターンは、固定座の軸孔を貫通する軸部を有すると共に該固定座の表面に重なるように設けられ、かつ所定位置で周方向に回転可能な可動座、可動座に嵌合すると共にロック解除時には該可動座と一緒に回転可能な摘み、ロック時この摘み及び可動座の共働回転を阻止するロック機構を備えた防犯サムターンであって、前記ロック機構は、可動座の貫通収納孔を介して固定座のロック孔まで延在する前記摘みの係止腕と、この係止腕の挿入端部に設けられた付勢体用支持体と、この支持体の頭部の背面と前記貫通収納孔の付勢体用支持面との間に弾装された前記付勢体とから成り、該ロック機構のロックを解く場合には、前記係止腕の支持体が前記ロック孔から抜ける位置まで摘みを前記付勢体のバネ力に抗して外方向に引くことを特徴とする。
【０００６】
上記構成に於いて、摘みは、摘み部分の内端面から突出し、かつ可動座の軸部を跨ぐように可動座の表面から固定座のロック孔まで延在する複数本の係止腕を有することを特徴とする。また、防犯サムターンの固定座の裏面側には、外端部が付勢体用支持体の頭部の表面と当接する摘み用押出し部材が配設され、該押出し部材の動力変換用内端部は、可動座と共に回転するサムターン軸側の動力変換用摩擦係合部と係脱することを特徴とする。
【発明の効果】
【０００７】
（ａ）摘みを手前側に所要量引いてそのまま回転する方式であることから、摘み側の入力部材、作動障害子等の部品点数を少なくすることができる。
（ｂ）各部材の組み合わせが容易である。
【発明を実施するための最良の形態】
【０００８】
以下、図１乃至図７に示す本発明を実施するための最良の形態により説明する。
【０００９】
（１）発明の実施の環境
図１は本発明の環境部材を示す。図１に於いて、まず、１は扉で、この扉１には、例えば水平方向に整列して複数個の貫通孔２、３、４が形成されている。中央部に大きく見えるのは可動座の棒状軸部が貫通する貫通孔２で、この貫通孔２の左右には摘み用押出し部材用の案内孔３が形成されている。そして、左右一対の案内孔３よりもさらに外側には固着具用の取付け孔４が形成されている。
【００１０】
次に、Ｘは本発明の防犯サムターンで、この防犯サムターンは、複数本の固着具５を介して扉１の内壁面１ａに固定される。この固定の場合、防犯サムターンＸを前記内壁面１ａに凹所を形成して扉１に取付けても、扉１の内壁面１ａの概念に含まれる。
【００１１】
次に、６は図示しない錠箱側に回転自在に配設されるサムターン軸で、このサムターン軸６は、円盤状或いは筒状の係合盤７と、この係合盤７の一側表面（内壁面１ａ側）の中央部に突設された短筒状の嵌合連結部８と、この嵌合連結部８の同心上に位置するように係合盤７の一側表面に所定間隔を設けて突設された左右一対のカム９と、係合盤７の一側裏面（錠箱の内部側）の中央部に交差状に設けられた出入力軸部１０とから成る。なお、前記カム９はサムターン軸側の動力変換用摩擦係合部となるので、その外面の一部又は全部は適宜なカム形状（例えば球体、傾斜面など）９ａに形成されている。
【００１２】
（２）防犯サムターンＸ―固定座１１
図２及び図３は、防犯サムターンＸの特徴部分を示す各概略断面説明図である。実施例の防犯サムターンＸは、まず、扉１の内壁面１ａに固着具５を介して固定される固定座１１を有する。図４は固定軸１１を表面１１ａ側から見た説明図である。実施例の固定座１１は円盤状、或いは円形の台状に形成され、該固定座１１にも扉１の複数個の貫通孔２、３、４に対応して複数個の貫通孔１２，１３，１４が水平方向に整列するように形成されている。
【００１３】
すなわち、図４を参照にすると、１２は中心部に形成された軸孔、１３は軸孔の左右に形成されたロック孔、１４はロック孔１３よりもさらに外側に形成された固着具用の取付け孔である。
【００１４】
そして、固定座１１の表面１１ａには、左右のロック孔１３を基準とすると、所定の角度位相（９０度）を有してクリック用の窪み１５が形成されている。また、ロック孔１３と窪み１５は、摘み３１のロック位置（錠前の施錠位置並びに摘みのロックを解く位置）と、摘み３１を手前に引いた後に所定量回転して、その回転を停止する箇所（錠前の解錠位置）に相当するから、それぞれ軸孔１２の同心円上に位置している。なお、ロック孔１３と取付け孔１４は、それぞれ断面段差状に形成され、大小の内径を有する。
【００１５】
（３）可動座２１
断面Ｔ字形状の可動座２１は、固定座１１の軸孔１２を貫通する棒状の軸部を有すると共に固定座１１の表面１１ａに重なるように設けられ、かつ所定位置で周方向に回転可能である。可動座２１の形態や肉厚は、固定座１１のそれを考慮して適宜に設計できる事項である。例えば外観上円形の固定座１１に対して小判形状や長杆形状にする、固定座１１の肉厚よりも大きくする、摘みの係止腕が嵌入する部位を最大肉厚にする、施錠位置・解錠位置用識別標識を設けるなどである。
【００１６】
図２及び図５を参照にして可動座２１の構成を説明する。２２は例えば表面視小判形状に形成され、かつ断面Ｔ字形状にされた重合板部で、この重合板部２２の裏面中央部には垂直（交差）状態に棒状軸部２３が設けられている。可動座２１は、前記棒状軸部２３の係合端部２４寄りの部位の周溝に嵌め込まれた抜け防止具２５を介して所定位置にて回転できるようになっている。
【００１７】
符号２６は重合板部２２の中央部寄りの部位の表面２１ａ側から、その裏面２１ｂ側に向かって形成された貫通状支持孔で、これら左右一対の支持孔２６には、貫通収納孔２７がそれぞれ連通している。
【００１８】
付言すると、左右一対の貫通収納孔２７は、重合板部２２の裏面２１ｂにそれぞれ開口している。貫通収納孔２７の内径は支持孔２６のそれよりも大きい。したがって、貫通収納孔２７の奥の内壁面は、後述する付勢体５１の一端を支持する支持面２７ａの役割を果す。
【００１９】
（４）摘み３１
摘み３１は、可動座２１に嵌合すると共に、そのロック解除時には該可動座２１と一緒に回転可能である。図２及び図６を参照にして摘み３１の構成を説明する。
【００２０】
摘み３１は、断面門型形状に形成され、指で摘むことができる板状の摘み部分３２と、この摘み部分３２の内端面３２ａから突出し、かつ可動座２１の軸部２３を跨ぐように可動座２１の表面２１ａ側の支持孔２６から貫通収納孔２７を介して固定座１１のロック孔１３まで延在する複数本（例えば２本）の係止腕３３とから成る。そして、前記係止腕３３の挿入端部３３ａには、メネジ３５が形成されている。
【００２１】
しかして、摘み３１は、ロック時、次に説明する各部材や各部位で構成されたロック機構Ｙにより、可動座２１との共働回転が阻止され、一方、該摘み３１を操作する者の手前に所要量引くと、摘み３１のロックが解かれ、固定座１１の周方向（錠前の解錠方向）へと回すことができる。
【００２２】
（５）ロック機構Ｙ
ロック機構Ｙは、可動座２１の貫通収納孔２７を介して固定座２１のロック孔１３まで延在する摘みの一つ以上の係止腕３３と、この係止腕３３の挿入端部３３ａに設けられた付勢体用支持体４１と、この支持体４１の頭部４１ａの背面と前記貫通収納孔２７の付勢体用支持面２７ａとの間に弾装された前記付勢体５１とから成る。
【００２３】
したがって、該ロック機構Ｙのロックを解く場合には、前記係止腕３３の支持体４１が固定座１１のロック孔から抜ける位置まで摘み３１を前記付勢体５１のバネ力に抗して外方向に引く（図３を参照。但し、摘み３１側から該摘み３１を引いただけの場合には、押出し部材５２は自力では移動しない）。
【００２４】
摘み３１を操作する者の手前に所要量引かない限り、摘み３１及びサムターン軸（コア軸）６と共働回転する可動座２１は回転しない。それ故に、防犯サムターンＸと成る。
【００２５】
ところで、図６の拡大部分は、摘み３１の係止腕３３に対する支持体４１の取付けの一例である。図６から明らかなように、支持体４１は、普通一般のねじであることから、表面が半円弧状の頭部４１ａと、この頭部４１ａの背面から垂直に延びる螺合部４１ｂから成る。したがって、前記頭部４１ａの背面が付勢体５１の他端部を支持している。
【００２６】
（６）摘み用押出し部材５２
固定座１１の裏面側には、外端部５２ａの押圧面が付勢体用支持体４１の頭部４１ａの表面と当接する摘み用押出し部材５２が配設されている。押出し部材５２は、例えば任意のピン形状に形成され、その動力変換用内端部５２ｂは、可動座２１と共に回転するサムターン軸６側の動力変換用摩擦係合部（カム）９と係脱する。
【００２７】
付言すると、サムターン軸６が錠箱（図示しないシリンダ錠）側の操作力によりダルマを介して回転すると、回転力を直線移動に変換する動力変換用摩擦係合部（カム）９及び押出し部材５２の動力変換用内端部５２ｂにより、押出し部材５２は、図３で示すように矢印方向へ位置変位して、摘み３１を外方向へと押し出し、摘み３１の支持体４１の頭部４１ａを係合解除ラインに揃える。
【００２８】
なお、図７の（ａ）は摘み３１がロック位置にある場合、一方、図７の（ｂ）は摘み３１を所定位置まで回した場合の位置（錠前解錠位置）をそれぞれ示す。摘み３１がロック位置にある場合には、支持体４１の頭部４１ａと接触可能な押出し部材５２の外端部５２ａは同じ位置に存在するが、摘み３１を所定位置まで回した場合には、前記頭部４１ａが外端部５２ａから周方向へと離れる。
【実施例】
【００２９】
固定座１１は、長板状、矩形状、小判形状等任意の形成に形成することができる。また、摘み３１も固定座１１の形態を考慮して任意に設計することができる。特に図示しないが、摘み３１の内端面３２ａの中央部には突起軸を設け、この突起軸を可動座２１の重合板部２２の表面中央部に形成したガイド孔にスライド自在に嵌挿しても良い。その他本発明の主要部を利用して他の構成を加味することができる。
【産業上の利用可能性】
【００３０】
本発明は、主に錠前や建具の業界で利用される。
【図面の簡単な説明】
【００３１】
図１乃至図７は本発明の最良の実施形態を示す各説明図。
【図１】本発明を含む環境部材の斜視図。
【図２】本発明の一例を示す概略断面説明図（摘みロック状態）。
【図３】概略断面説明図（摘みロック解消、但し、図面は便宜上サムターン軸側から入力された場合の例で示してある）。
【図４】要部（固定座）の説明図。
【図５】要部（可動座）の説明図。
【図６】要部（摘み）の説明図。
【図７】図７の（ａ）は摘み３１がロック位置にある場合、一方、図７の（ｂ）は摘み３１を所定位置まで回した場合の位置をそれぞれ示す各説明図。
【符号の説明】
【００３２】
Ｘ…防犯サムターン、Ｙ…ロック機構、１…扉、１ａ…内壁面、２、３、４…貫通孔、５…固着具、６…サムターン軸、７…係合盤、８…嵌合連結部、９…動力変換用摩擦係合部、１０…出入力軸部、１１…固定座、１１ａ…表面、１２…軸孔、１３…ロック孔、１４…取付け孔、１５…窪み、２１…可動座、２１ａ…表面、２２…重合板部、２３…軸部、２４…係合端部、２５…抜け防止具、２６…支持孔、２７…貫通収納孔、２７ａ…支持面、３１…摘み、３２…摘み部分、３２ａ…内端面、３３…係止腕、３３ａ…挿入端部、４１…付勢体用支持体、４１ａ…頭部、４１ｂ…螺合部、５１…付勢体、５２…摘み用押出し部材、５２ａ…外端部、５２ｂ…動力変換用内端部。
【図１】
2009046862.tif 000003
【図２】
2009046862.tif 000004
【図３】
2009046862.tif 000005
【図４】
2009046862.tif 000006
【図５】
2009046862.tif 000007
【図６】
2009046862.tif 000008
【図７】
2009046862.tif 000009